(57)【要約】  ケース（１）と、湿物質（２）と、密封フィルム又は密封シート（３）と、酸素供給管（４）とを含み、前記湿物質（２）はケース（１）内に配置されている酸素加湿及び供給装置である。ケース（１）のトップには少なくとも二つの突出した通気口が設けられ、一つは吸気口、もう一つは排気口である。前記密封フィルム又は密封シート（３）は湿物質（２）が収納されたケース（１）の密封に用いられる。前記通気口は、酸素供給管（４）に接続される。【選択図】図１
2010533517.tif 000002
【特許請求の範囲】
【請求項１】
ケース（１）と、湿物質（２）と、密封フィルム又は密封シート（３）と、酸素供給管（４）とを含み、前記湿物質（２）はケース（１）内に配置され、ケース（１）のトップに少なくとも二つの突出した通気口（６）が設けられ、一つは吸気口、もう一つは排気口であり、
前記密封フィルム又は密封シート（３）は、湿物質（２）が収納されたケース（１）の密封に用いられ、前記通気口（６）は、酸素供給管（４）に接続されることを特徴とする、酸素加湿及び供給装置。
【請求項２】
突起の内径は１mmより大きく、前記密封フィルム又は密封シート（３）は、ケース底部（７）と、内、外縁部（８，９）とを、緊密に結合していることを特徴とする、請求項１に記載の酸素加湿及び供給装置。
【請求項３】
前記ケース（１）の内部容積は、１００mlより大きいことを特徴とする、請求項２に記載の酸素加湿及び供給装置。
【請求項４】
前記ケース（１）の内部吸気口と排気口との間の距離は６cmより大きいことを特徴とする、請求項２に記載の酸素加湿及び供給装置。
【請求項５】
密封フィルム又は密封シート（３）は、厚さが３０μm以上であることを特徴とする、請求項１に記載の酸素加湿及び供給装置。
【請求項６】
前記湿物質（２）は、液状水、ヒドロゲル、又はそれらの混合物であることを特徴とする、請求項１に記載の酸素加湿及び供給装置。
【請求項７】
前記湿物質は、酸素ガスと直接に接触する表面積が６５cm2より大きく、液面の、ケースのトップの通気口（６）からの距離が２mm以上であることを特徴とする、請求項６に記載の酸素加湿及び供給装置。
【請求項８】
前記湿物質は液状水である場合に、前記液状水に抗菌防腐剤、PH値調節剤が添加されていることを特徴とする、請求項６に記載の酸素加湿及び供給装置。
【請求項９】
ケースの内表面に吸水材料が裏張りされ、前記吸水材料は不織布、スポンジを含むことを特徴とする、請求項１又は６に記載の酸素加湿及び供給装置。
【請求項１０】
前記湿物質はヒドロゲルである場合に、ヒドロゲルの含水量は重量比７５％以上であることを特徴とする、請求項６に記載の酸素加湿及び供給装置。
【発明の詳細な説明】
【技術分野】
【０００１】
本出願は、2007年7月18日に中国特許庁に提出された、出願番号200710130338.9、発明の名称「酸素加湿及び供給装置」の中国特許出願の優先権を主張する。その全ての内容は引用により本出願に取り込まれる。
【０００２】
本発明は酸素加湿及び供給装置に関し、医療器械製作技術分野に属する。
【背景技術】
【０００３】
従来の酸素加湿及び供給装置では、過水加湿方式が多く採用されている。即ち、酸素ガスが垂直な通気管を通じて液面の下に入り、酸素の気泡を大量に生じて水面から浮き出して、さらに終端供給管路に入るものであるが、ノイズが顕著だけではなく、且つガスが水を通じて直径の５μm以下のエアロゾルを生じる場合もあった。該エアロゾルが病原菌を有する場合、直接に肺内に吸い込まれて、医原性肺感染を誘発する可能性がある。また、このように設計された装置は使い捨てのものではないが、消毒滅菌を効果的に実施し難い。また、加湿液としては、蒸留水が多く採用され、且つ通常病室環境で添加され、極めて汚染され易い。それは、「中華医院感染雑誌」2002年１２巻１２期などにおいて詳細な報道がある。
【０００４】
近年、業界の専門家は酸素加湿装置を改善した案も提出した。例えば、それに関する特許出願：出願番号２００６２００２８６２４．５、名称「新型液化瓶」、出願番号２００４２００９７４０２．X、名称「無声吸酸素加湿瓶」、及び出願番号００２０３１８９．２、名称「吸酸素加湿瓶」など。しかし、これらはいずれも根本的には前記問題をまだ解決していない。
【発明の概要】
【０００５】
本発明の実施例は、使用中にノイズが生じず、使用後に医原性肺感染がない酸素加湿及び供給装置を提供する。
【０００６】
発明の実施例は酸素加湿及び供給装置を提供する。該酸素加湿及び供給装置は、ケースと、湿物質と、密封フィルム又は密封シートと、酸素供給管とを含み、前記湿物質はケース内に配置され、ケースのトップに少なくとも二つの突出した通気口が設けられ、一つは吸気口、もう一つは排気口である。前記密封フィルム又は密封シートは湿物質が収納されたケースの密封に用いられる。前記通気口は、酸素供給管に接続される。
【０００７】
本発明の技術案では、革新的な構成を採用することにより、即ち、湿物質はケース内に配置され、ケースのトップに少なくとも二つの突出した通気口が設けられ、一つは吸気口、もう一つは排気口であり、密封フィルム又は密封シートは湿物質が収納されるケースの密封に用いられ、通気口は、酸素供給管に接続されることにより、これにより、酸素ガスが酸素加湿及び供給装置を通る際の加湿面積を大きくして、伝統的な水を通じる加湿方式を変更して、無騒音の加湿効果を果たすことができる。そして、酸素供給装置の繰り返しの使用及び加湿液の臨時加入などによる医原性呼吸系感染を根本的に予防し、酸素吸入治療が必要な患者の利益を保障することができる。
【図面の簡単な説明】
【０００８】
【図１】本発明の実施例にて提供される酸素加湿及び供給装置の概略図である。
【発明を実施するための形態】
【０００９】
従来の酸素加湿装置の欠陥に鑑み、本発明の実施例では、酸素加湿及び供給装置を提供する。該装置は、ケース１と、湿物質２と、密封フィルム３と、酸素供給管とを含む。各部分は滅菌されてから一つのパッケージに収納され、一回限り使用するものとなる。湿物質２はケース１内に配置され、ケース１のトップには少なくとも二つの突出した通気口６が設けられ、一つは吸気口、もう一つは排気口である。通気口６は酸素供給管４に接続される。湿物質２をケース１に収納してから、密封フィルム３で密封し、使用時に酸素ガスは吸気口を介して流入し、面積が大きい湿物質２の表面と接触することにより加湿されてから、排気口から流出する。湿物質２は液状水、ヒドロゲル、又はそれらの混合物であってもよい。
【００１０】
抗菌効果を生じるために、湿物質には、水又はヒドロゲル以外に、非揮発性抗菌防腐剤、PH調節剤などを添加してもよい。匂いを調節するために、ハッカやクローブなどの物質を添加してもよい。
【００１１】
さらに、液状水を主な部分とする湿物質による加湿効果を向上するために、ケースの内表面に不織布、スポンジなどの吸水材料を裏張りする。
【００１２】
本発明の原理、特性及び利点を更に明瞭にするために、以下のように具体的な実施例を挙げる。
実施例１
本実施例が提供する酸素加湿及び供給装置は加湿酸素吸入管である。
【００１３】
該加湿酸素吸入管は、下記部分を含む：
ケース：エチレン・プロピレンゴムで射出成形され、内部容積は具体的な状況によって設計され、例えば３００mlである。該加湿酸素吸入管に内装された湿物質は純水を採用し、０．０５％の防腐剤、０．２％のPH調節剤を添加した。純水の量は該加湿酸素吸入管の内部容積によって確定される。密封フィルムシート：厚さ６０μmのポリエチレン・プロピレンゴム、ポリエチレンテレフタラート複合膜を用いた。密封方法：熱着又はほかの方法で密封する。酸素ガス供給管路：内径３mmのポリ塩化ビニールチューブである。使用終端：鼻継手。ケースが水平に配置されている場合は直接に酸素ガスと接触できる液体表面積は１５０cm2であり、酸素ガスは吸気口を介して流入し、排気口から流出し、ケース内部を流れる最短距離は１２cmである。滅菌方式は２５KGYガンマ射線照射である。
実施例２
本実施例が提供する酸素加湿及び供給装置は加湿酸素供給マスクである。
【００１４】
該加湿酸素供給マスクは、下記を含む：
ケース：エチレン・プロピレンゴムで真空熱成形され、内部容積は、具体的な状況によって設計され、例えば３６０mlである。該加湿酸素供給マスクに内装された湿物質は純水であり、１．２グラムのアルギン、０．０８％の防腐剤、０．３％のPH調節剤が添加された。純水の量は該加湿酸素供給マスクの内部容積によって確定される。密封フィルムシート：厚さ８０μmのポリエチレン・プロピレンゴム、ポリエチレンテレフタラート複合膜又は厚さ１．２mmのエンジニアリング‐プラスチックシート材料を用いる。密封方法：熱着又は超音波溶接。酸素ガス供給管路：内径５mmのポリ塩化ビニールチューブである。使用終端：マスク。ケースが水平に配置されている場合、直接に酸素ガスと接触できるゲル表面積は１８０cm2であり、酸素ガスは吸気口を介して流入し排気口から流出し、ケース内部を流れる最短距離は１５cmである。滅菌方式は２５KGYガンマ射線照射である。
【００１５】
前記実施例は本発明の原理を説明及び解釈するためである。本発明の具体的な実施方式はそれに限られない。当業者にとって、本発明の実質と範囲を逸脱しないことを前提として更なる各変更及び修正はいずれも本発明の保護範囲に属する。従って、本発明の保護範囲は特許請求の範囲により特定される。
【符号の説明】
【００１６】
１：ケース
２：湿物質
３：密封フィルム
４：酸素供給管
５：使用終端
６：通気口
７：ケース底部
８：ケース底部の内縁部
９：ケース底部の外縁部
【図１】
2010533517.tif 000003
【国際調査報告】
2010533517.tif 000004
2010533517.tif 000005
2010533517.tif 000006
2010533517.tif 000007